(57)【要約】複数の単一エッジ接続ディスプレイパネルを用いてこれらの間に減少したシーム幅（間隙）を有する複数のディスプレイパネルのタイリングであり、ディスプレイパネルごとに、横方向の配線が、前面プレート上に形成され、配線の入力部分は、密封部分が形成された領域上に経路を有し、そしてディスプレイパネルの下エッジから外側へ延ばされる。密封部分が形成された領域は、密封材料によって背面プレートに接着される前面プレート上におけるディスプレイパネルの非表示領域であり、前面プレートの下側に経路を有する入力部分は、背面プレートの下エッジから外側へ延ばされる。入力部分は、その一部分が、背面プレート上に形成され、前面プレートと背面プレートとを接着することによって、スルーホールを介して、電気的な接続が確立される。
2006509235.tif 000002
【特許請求の範囲】
【請求項１】
ディスプレイパネルであって、
第１および第２の方向にマトリックス状に配列される画素と、
前記画素に接続されかつ前記第１の方向に延びる第１の配線と、
前記画素に接続されかつ前記第２の方向に延びる第２の配線とを備え、
前記第１の配線の第１の入力部分が、密封部分が形成されている前記ディスプレイパネルの領域上に経路を有し、かつ前記第２の配線の第２の入力部分が外側へ延びる前記ディスプレイパネルのエッジから外側へ延びる
ことを特徴とするディスプレイパネル。
【請求項２】
第１および第２のプレートをさらに備え、前記第１の配線は前記第１のプレート上に形成されており、前記第２の配線は前記第２のプレート上に形成されていることを特徴とする請求項１に記載のディスプレイパネル。
【請求項３】
前記第１の入力部分上に低抵抗膜が堆積されていることを特徴とする請求項１に記載のディスプレイパネル。
【請求項４】
前記第１の入力部分は２つのグループに分割されており、前記グループの一方に存在する前記第１の入力部分は前記密封部分が形成されている前記領域の一方の側に経路を有し、前記グループの他方に存在する前記第１の入力部分は前記密封部分が形成されている前記領域の反対側に経路を有することを特徴とする請求項１に記載のディスプレイパネル。
【請求項５】
前記第１の入力部分は２つのグループに分割されており、前記グループの一方に存在する前記第１の入力部分は前記密封部分が形成されている前記第１のプレートの領域上に経路を有し、前記グループの他方に存在する前記第１の入力部分は前記密封部分が形成されている前記第２のプレートの領域上に経路を有することを特徴とする請求項１に記載のディスプレイパネル。
【請求項６】
前記第１の入力部分はそれぞれ２つの経路、すなわち、前記密封部分が形成されている前記第１のプレートの領域上に存在する経路および前記密封部分が形成されている前記第２のプレートの領域上に存在する経路に沿って延びることを特徴とする請求項１に記載のディスプレイパネル。
【請求項７】
より長い距離の経路を有する前記第１の入力部分はより大きな線幅を有することを特徴とする請求項１に記載のディスプレイパネル。
【請求項８】
少なくとも１つの能動的照明要素がマトリックスの周辺に配置され、前記少なくとも１つの能動的照明要素はそれぞれディスプレイパネルのエッジから外側へ延びるそれぞれの配線を有することを特徴とする請求項１に記載のディスプレイパネル。
【請求項９】
前記少なくとも１つの能動的照明要素は配線が外側へ延びるディスプレイパネルのエッジに対して近接して配置されていることを特徴とする請求項８に記載のディスプレイパネル。
【請求項１０】
少なくとも１つの光ファイバーインタフェースが、マトリックスの周辺に配置され、前記少なくとも１つの光ファイバーインタフェースはそれぞれ高照度光源から光を受け取り、かつ前記光をディスプレイパネル内に分散させるためのものであることを特徴とする請求項１に記載のディスプレイパネル。
【請求項１１】
前記少なくとも１つの光ファイバーインタフェースは前記配線が外側へ延びるディスプレイパネルのエッジに対して近接して配置されていることを特徴とする請求項１０に記載のディスプレイパネル。
【請求項１２】
ディスプレイパネルをマトリックス状に配列することによって構成される大型表示装置であって、前記ディスプレイパネルのそれぞれが、
第１および第２の方向にマトリックス状に配列される画素と、
前記画素に接続されかつ前記第１の方向に延びる第１の配線と、
前記画素に接続されかつ前記第２の方向に延びる第２の配線とを備え、
前記第１の配線の第１の入力部分が、密封部分が形成されている前記ディスプレイパネルの領域上に経路を有し、かつ前記第２の配線の第２の入力部分が外側へ延びる前記ディスプレイパネルのエッジから外側へ延びることを特徴とする大型表示装置。
【請求項１３】
前記ディスプレイパネルは、前記第１および第２の入力部分が外側へ延びる前記ディスプレイパネルのエッジが、前記ディスプレイパネルの隣接する他のエッジと重なり合うように配列されることを特徴とする請求項１２に記載の大型表示装置。
【請求項１４】
前記ディスプレイパネルは、それぞれ、少なくとも１つの固定支持体を用いて構造部材に保持されていることを特徴とする請求項１３に記載の大型表示装置。
【請求項１５】
前記構造部材はビーム、ポスト、プレート、グリッド、メッシュの中から選択されることを特徴とする請求項１４に記載の大型表示装置。
【請求項１６】
前記それぞれのディスプレイパネルの外側へ延びる配線は、それぞれ、電子モジュールとインタフェース接続されていることを特徴とする請求項１２に記載の大型表示装置。
【請求項１７】
前記それぞれのインタフェースは一体型アタッチメントであることを特徴とする請求項１６に記載の大型表示装置。
【請求項１８】
前記電子モジュールは前記それぞれのディスプレイパネル上のグラフィックパターンを駆動するためのソフトウェア駆動回路を含むことを特徴とする請求項１６に記載の大型表示装置。
【請求項１９】
前記それぞれのインタフェースは取り外し可能なアタッチメントであることを特徴とする請求項１６に記載の大型表示装置。
【請求項２０】
前記電子モジュールは外部コントローラとの少なくとも１つのデータ通信チャンネルを含むことを特徴とする請求項１６に記載の大型表示装置。
【発明の詳細な説明】
【技術分野】
【０００１】
開示されたこの特許文献の一部分は、著作権の保護の対象となる内容を含む。著作権所有者は、特許庁の特許包袋または特許記録として公開される場合には、特許文献または特許開示情報を誰かが複製することに異議を唱えることはないが、そうでない場合には、いかなる場合にも、すべての著作権を留保する。
【０００２】
本発明は、一般的には、ディスプレイパネルおよびこのようなディスプレイパネルを用いた大型表示装置に関し、特に、マトリックス状に配列されたディスプレイパネルのシーム幅を減少させることに関する。
より詳細には、本発明は、それぞれが横方向に配列された（タイリングされた）複数のディスプレイモジュールから構成された液晶ディスプレイ（ＬＣＤ）であって、Ｘ軸およびＹ軸の両方のアドレス指定可能な部分にアクセスするために単一エッジコネクタを使用するものに関する。
【背景技術】
【０００３】
大型表示装置は、その製造の初期においては、ディスプレイエレメントをマトリックス状に配列することによって組み立てられていたが、単色ＣＲＴ（陰極線管）をマトリックス状に配列する技術が開発され、そして実用化された。その後、複数の画素を有するディスプレイエレメントが開発され、解像度が劇的に改善された。近年、ＣＲＴの代わりに、ＬＥＤ（発光ダイオード）を配列する技術、あるいはＬＣＤ（液晶ディスプレイ）またはＰＤＰ（プラズマディスプレイパネル）のようなディスプレイパネルを配列する技術が開発された。これにより、大型表示装置の利用範囲は、高い解像度を必要とする屋外使用、高い輝度を必要とする屋内使用、およびビル壁面のための軽くて薄い表示装置の使用のような様々な用途にまで広がった。
【０００４】
ＣＲＴの内部は高い真空度に維持されるか、あるいはＣＲＴは低圧ガスをその中に入れて密封されるので、ＣＲＴは、大気圧に対する強度と密封性とを保証するために、厚い密封部分を有する。また、ＣＲＴは、その重量および厚さを減少させることが構造的に難しい。したがって、ＣＲＴをマトリックス状に配列すると、はっきりと目に見えるシーム幅を備えた大型表示装置になってしまう。したがって、ＣＲＴをマトリックス状に配列する技術は、シーム幅を減少させるためには構造上限界があるという問題、および個々のディスプレイエレメントの重量が多いために全体として極めて重たくて大きな表示装置になってしまうという問題を有する。
【０００５】
他方において、ＬＥＤは、ほぼ点光源であり、そして平坦なプレート上にこれらを高密度で配列することができるので、ＬＥＤを配列する技術は、高解像度の大型表示装置を提供することができる。ＬＥＤエレメントを高密度で配列すると、解像度（デバイス密度）が増加するが、コストが増加するという問題が発生する。
【０００６】
したがって、当分野においては、上述した問題を解決すること、すなわち、例えば、多数の画素を含むディスプレイパネル（ＬＣＤまたはＰＤＰのような）をマトリックス状に配列する技術が以前から必要とされてきた。より詳細には、ディスプレイパネルがＣＲＴよりも重量が軽く、ＬＥＤよりも安い１画素当たりの単価を有する場合に必要とされる。特に、ディスプレイパネルをマトリックス状に配列する技術がより有効な大型表示装置の製造においては、必要性が極めて高い。
【０００７】
以下、ディスプレイパネルをマトリックス状に配列することによって組み立てられる大型表示装置について説明する。ＬＣＤまたはＰＤＰのようなディスプレイパネルは、それぞれ、前面プレートおよび背面プレートを有し、これらの上には、マトリックス状に配列されたそれぞれの画素を制御するために、電極および配線が形成される。前面プレートと背面プレートとの間の空間は、外部環境から遮断されなければならず、そのために、前面プレートおよび背面プレートは、十分な幅を有する密封部分をこれらの周辺に有する。画素を制御するための配線は密封部分の外側へ延び、信号およびそれに類似するものが外部から供給されるようになっている。
【０００８】
ディスプレイパネルをマトリックス状に配列して大型表示装置を組み立てるには、ディスプレイパネル間の視覚的に感知できないシームを形成することが必要である。しかしながら、密封部分および延ばされた配線部分が前面プレートおよび背面プレートの周辺に存在するために、ディスプレイパネル間に視覚的に感知できないシームを形成することは難しいことである。特許文献１は、視覚的に感知できないシームを有する高密度大型スクリーン液晶ディスプレイを製造する方法を開示している。この製造方法は、例えば、切断のためのエッチング技術またはレーザ技術、および切断面の均一性を改善するためのレンズ加工に使用されるスーパーファインポリシング技術を使用する。
【０００９】
また、特許文献２は、ガラスプレートの代わりにフィルムプレートが使用された構造の例を示している。これにより、ディスプレイパネルのエッジにおいて引き出し電極部分を直角に曲げることができる。したがって、この引用例においては、引き出し電極のために必要な空間を減少させることができる。
【００１０】
ディスプレイパネルをマトリックス状に配列することによって大型表示装置を組み立てる場合、隣接するディスプレイパネル間のシームは、前面プレートおよび背面プレートの周囲に形成された密封部分および密封部分の外側へ延びる配線部分が存在するために、はっきりと目に見える。例えば、ｇ１が密封部分の幅であり、ｇ２がディスプレイパネル間の間隙であるとすると、シーム幅Ｇは、少なくとも２×ｇ１＋ｇ２である。ディスプレイパネル間の間隙ｇ２は、ディスプレイパネルから外側へ延びる配線部分の幅と、配線が隣接するディスプレイパネルと接触するのを防止するのに必要な間隙との和である。したがって、間隙ｇ２は、配線が外側へ延びる一方のディスプレイパネルのエッジと、隣接するディスプレイパネルのエッジとを接続するのに必要である。
【００１１】
一般的には、行方向における配線は、ディスプレイパネルの右エッジから外側へ延ばされ、列方向における配線は、ディスプレイパネルの下エッジから外側へ延ばされる。したがって、ディスプレイパネルを横方向かまたは縦方向のいずれかに接続するために、間隙ｇ２がディスプレイパネル間に必要となる。それによって、はっきりと目に見えるシームがディスプレイパネル間に形成されることになる。この間隙ｇ２を減少させるためには、配線が外側へ延びるエッジの数を減少させることが必要である。しかしながら、上述した引用例に開示された従来技術はこの点に関しては言及していない。
【００１２】
さらに、配線を２つのエッジから外側へ延ばすと、信頼性に問題を生じる。例えば、大型表示装置を組み立てるときに隣接するディスプレイパネルが、相互に接触することがあり、それによって、配線が損傷する。
【００１３】
【特許文献１】特開平１０−９６９１１号公報
【特許文献２】特開平１０−１１１５１７号公報
【発明の開示】
【発明が解決しようとする課題】
【００１４】
上述した以前からの必要性に対して、特にディスプレイパネルおよびそのディスプレイパネルを用いた大型表示装置に関する本発明の実施形態によって有効な対処がなされる。本発明による装置は、ディスプレイパネル、モジュール、またはこれらに類似するものをタイリングすることにより構成された、それほど高価ではなく、電子的に駆動され、大型である動的なグラフィックディスプレイを以前から必要としてきた屋内および屋外の広告および情報メディアプレゼンテーションに特に有益である。
【００１５】
本発明の目的は、表示装置のグラフィックコンテンツを駆動する電子モジュールに容易に相互接続することのできるディスプレイパネルを提供することである。本発明のもう１つの目的は、間のシーム幅（特に、間隙）を減少させてマトリックス状に配列されたディスプレイパネルを提供すること、およびそのディスプレイパネルを用いた大型表示装置を提供することである。
【課題を解決するための手段】
【００１６】
本発明の１つの態様によれば、ディスプレイパネルは、画素と第１および第２の配線とを含む。画素は、第１および第２の方向にマトリックス状に配列される。第１の配線は第１の方向に延び、そして画素に接続される。第１の配線の第１の入力部分はディスプレイパネルの、密封部分が形成された領域上に経路を有し、第２の入力部分の第２の入力部分が外側へ延びるディスプレイパネルのエッジから外側へ延びる。第２の配線は第２の方向に延び、画素に接続される。
【００１７】
本発明のもう１つの態様によれば、大型表示装置が、ディスプレイパネルをマトリックス状に配列することによって構成される。ディスプレイパネルは、それぞれ、第１および第２の方向にマトリックス状に配列された画素、画素に接続されかつ第１の方向に延びる第１の配線、および画素に接続されかつ第２の方向に延びる第２の配線を含む。第１の配線の第１の入力部分は、密封部分が形成されたディスプレイパネルの領域上に経路を有し、第２の配線の第２の入力部分が外側へ延びるディスプレイパネルのエッジから外側へ延びる。
【発明の効果】
【００１８】
本発明によるディスプレイパネルは、結合された隣接するディスプレイパネル間のシーム幅を減少させることができる。
【００１９】
本発明による大型表示装置は、従来の大型表示装置と比較すれば、ディスプレイパネル間の視覚的に感知できないシームを有する。
【００２０】
本発明のこれらのおよびその他の目的、特徴、態様、および利点は、添付の図面を参照すれば、以下の本発明の詳細な説明からより明白なものとなる。
【００２１】
（注意）
番号、アルファベット文字、およびローマン体記号が、説明の便宜のためだけに、以下の段落において使用されるが、いかなる方法ステップにも特定の順序を強いるものではない。同様に、本発明は、以下にある程度の詳しさで説明されるが、当業者は、添付の特許請求の範囲に記載される精神および範囲を逸脱することなく、様々な変更および変形を行ってもよいことが容易に理解できる。
【００２２】
本発明を説明する際、現時点において受け入れられている科学的、工学的、または技術的な理論／モデルを考慮して説明がなされる。このような理論およびモデルは、断絶的および根本的な変更を施される。多くの場合、これらの変更は、基本的な構成要素の表象が革新されたために、これらの要素間で新しい変形例が考え出されたために、あるいはこれらの要素またはこれらの変形例の新しい解釈が発生したために、発生する。したがって、本発明は実施形態における特定の技術的な実現に関するものであることに注意することが重要である。したがって、これらの実施形態に関するここでの説明に基づいた理論またはモデルは、これらの実施形態が実際にどのようにして実質的に実現できるかを当業者に教示するために提供される。これらの実施形態のための代わりの、または同等な説明は、これらの実現を否定するものではなく、あるいは変更するものでもない。
【００２３】
本発明を理解するために、また、どのようにして本発明が実際に実施されるかを理解するために、以下、限定するものではない単なる例として、添付の図面を参照して、好ましい実施形態を含む実施形態を説明する。さらに、添付の図面を考慮しながら以下の説明を理解することによって、本発明および本発明の利点をより完璧に理解できる。
【発明を実施するための最良の形態】
【００２４】
以下、本発明の好ましい実施形態を示す図面を参照して本発明を詳細に説明する。
【実施例１】
【００２５】
この好ましい実施形態は、大型表示装置に使用するためのディスプレイパネルの構造に関する。ディスプレイパネルの例には、例えば、ＬＣＤ（液晶ディスプレイ）、ＰＤＰ（プラズマディスプレイパネル）、およびＥＬ（エレクトロルミネセント）パネルが含まれる。これらのディスプレイパネルは、共通の基本構造を有する。図１は、一般的なディスプレイパネル構造の概略図を示す。横方向（または行方向）へ延びる配線１は、前面プレート２上に形成され、それぞれが、信号を受信するための入力部分３を有する。縦方向（または列方向）へ延びる配線４は、背面プレート５上に形成され、それぞれが、信号を受信するための入力部分６を有する。
【００２６】
前面プレート２と背面プレート５とは、これらの間にディスプレイ層７をサンドイッチ状に挟み、密封材料によって、これらの周辺を密封される。それによって、ディスプレイ層（またはディスプレイ空間）７は、外部環境から絶縁される。配線１および４は、画素電極に信号を供給し、ディスプレイ層７を駆動する。外部から信号を受信するために、配線１および４の入力部分３および６は、密封部分の外側へ延ばされる。前面プレート２と背面プレート５とは、配線１および４が形成された表面同士が相互に向かい合った関係となるように接着される。ＬＣＤの場合には、例えば、ディスプレイ層７は液晶が満たされ、ＰＤＰの場合には、ディスプレイ層７はほぼ真空状態で密封される。
【００２７】
したがって、マトリックス状に配列された画素を駆動するために、ディスプレイパネルは、それぞれ、画素に接続され、そして２つの方向、すなわち、行方向および列方向に延びる配線１および４を必要とする。このために、すでに説明したように、入力部分３および６は、常に、ディスプレイパネルの２つ以上のエッジから外側へ延びる。
【００２８】
それに対して、この好ましい実施形態によるディスプレイパネル構造においては、入力部分３および６はディスプレイパネルの１つのエッジから外側へ延びる。この構造を以下に説明する。図２は、この好ましい実施形態による前面プレート２の平面図を示す。横方向配線１が前面プレート２上に形成される。一般的には、配線１はＩＴＯ（インジウムスズ酸化物）から形成される。より詳細には、ＩＴＯは、例えば、スパッタリングによって前面プレート２上に堆積され、その後リソグラフィー技術によって予め定められた配線パターンに形成され、それによって、配線１が形成される。あるいは印刷工程によって配線パターンを直接に形成する技術を用いて配線１を形成してもよい。配線１の入力部分３は、従来は、ディスプレイパネルの右エッジから外側へ延びていた（図２に示されるように、以下、その他の図面についても同じことが言える）。それに対して、この好ましい実施形態においては、入力部分３は、密封部分が形成された領域８（この領域は、密封領域８とも呼ばれる）上に経路を有し、かつディスプレイパネルの下エッジから外側へ延びる。この場合、密封部分が形成された（密封）領域８は、密封材料によって背面プレート５に接着された、前面プレート２上に存在するディスプレイパネルの非表示領域である。
【００２９】
図３は、この好ましい実施形態による背面プレート５の平面図を示す。縦方向配線４が、背面プレート５上に形成される。一般的には、配線４は、同様に、ＩＴＯから形成される。配線４の入力部分６は、従来技術の場合と同様に、背面プレート５の下エッジから外側へ延びる。あるいはディスプレイパネルは、その入力部分３が下エッジから外側へ延びた前面プレート２が、その入力部分６が下エッジから外側へ延びた背面プレート５に接着されるように簡単に構成してもよい。しかしながら、図２および図３に示される前面プレート２および背面プレート５の構造は、このような構造に類似するものではない。
【００３０】
下側までの経路を有する図２に示される前面プレート２の入力部分３は、背面プレート５の下エッジから外側へ延びる。したがって、入力部分３は、その一部分が、図３に示される背面プレート５上に形成され、前面プレート２と背面プレート５とを接着することによって、電気的な接続が確立される。図２および図３においては、前面プレート２および背面プレート５上で入力部分３を電気的に接続するために、スルーホール９が、密封部分に形成され、入力部分３に対応する。入力部分３は、その一部分が、背面プレート５上に形成されるので、配線４の入力部分６は、左部分以外の下エッジ部分から外側へ延びていなければならない。この場合、前面プレート２および背面プレート５は、相互に接着されるので、図３に示される背面プレート５の左側は、図２に示される前面プレート２の右側と向かい合う。したがって、図３の例においては、入力部分６は、下エッジの中央部分にまとめられ、そこから外側へ延びる。
【００３１】
上述したディスプレイパネルの構造においては、配線１および４の入力部分３および６は、ディスプレイパネルの同じ下エッジから外側へ延ばすことができる。これにより、従来は配線１の入力部分３が外側へ延びるその右側にある隣接するディスプレイパネル間の間隙を減少させることができる。さらに、配線の入力部分の経路を有する領域８は、従来の構造においても必要とされる密封部分であるので、入力部分の経路を有する新しい領域を提供しなくてもよい。したがって、従来の大型表示装置と比較すれば、この好ましい実施形態のディスプレイパネルをマトリックス状に配列することによって、視覚的に感知できないシームを有する大型表示装置を得ることができる。
【００３２】
ここまでは、この好ましい実施形態は、横方向配線１が前面プレート２上に形成され、そして縦方向配線４が背面プレート５上に形成された場合について説明した。しかしながら、本発明は、それに限定されることはなく、縦方向配線４が前面プレート２上に形成され、そして横方向配線１が背面プレート５上に形成される場合または横方向配線１および縦方向配線４の両方が背面プレート５上に形成される場合にも適用できることを理解されたい。さらに、この好ましい実施形態においては、入力部分３は、前面プレート２の右側において下側まで経路を有するが、本発明はそれに限定されない。実際には、入力部分３は前面プレート２の左側において下側まで経路を有してもよく、あるいは入力部分３および６は、上側まで経路を有してもよい。さらに、この好ましい実施形態においては、密封領域８上に経路を有する入力部分３は前面プレート２上に形成される。しかしながら、本発明の重要な点は、入力部分３の経路を決定するために既存の密封部分を有効に利用することであり、したがって、入力部分３は、密封部分上に経路を有する代わりに、密封部分間の空間を経由して経路を有してもよい。
【実施例２】
【００３３】
図４は、この好ましい実施形態による前面プレートの平面図を示す。図４に示される構造は、基本的には、図２に示される構造と同じものである。したがって、構造の異なる部分だけを以下に説明する。配線１の入力部分３は、一般的には、前面プレート２上においてＩＴＯから形成される。この好ましい実施形態は、ＩＴＯからなる入力部分３上に低抵抗膜１０が堆積された構造を提供する。この場合、Ａｌ（アルミニウム）、Ｃｒ（クロム）、またはＡｌ−Ｃｒが、低抵抗膜１０の材料として使用される。低抵抗膜１０は、例えば、スパッタリングによって材料を堆積し、その後、フォトリソグラフィック技術によってそれを予め定められた配線パターンに形成することによって、形成される。
【００３４】
前面プレート２の下側まで経路を有する入力部分３は、従来技術の場合のように前面プレート２の右側から外側へ延びる代わりに、長距離配線を必要とする。これは、入力部分３の配線抵抗を増加させ、画素を駆動するために入力された駆動パルスの波形に障害を発生させることがあり、それによって、表示品質に悪影響を及ぼす。この好ましい実施形態においては、入力部分３の配線抵抗を減少させるために、ＩＴＯのような材料よりも低い抵抗を有する配線材料（ＡｌまたはＣｒのような）が、入力部分３上に堆積される。
したがって、この好ましい実施形態は、入力部分３の配線抵抗を減少させることができ、入力駆動パルスの波形に障害を与えることなく高品質画像を表示するのを可能にする。この場合、この好ましい実施形態の基本的な構造は、第１の好ましい実施形態の構造と同一であるので、この好ましい実施形態も、また、第１の好ましい実施形態において説明したものと同じ効果を達成できることがわかる。
【実施例３】
【００３５】
図５は、この好ましい実施形態による前面プレートの平面図を示す。図５に示される構造は、基本的には、図２に示される構造と同じものである。したがって、構造の異なる部分だけを以下に説明する。横方向配線１は、一般的には、前面プレート２上においてＩＴＯから形成される。第１の好ましい実施形態においては、配線１の入力部分３は、前面プレート２の右側だけに経路を有する。それに対して、この好ましい実施形態においては、偶数行に存在する配線１の入力部分３（以下、「偶数入力部分３ｅ」とも呼ばれる）は、前面プレート２の右側に経路を有し、奇数行に存在する配線１の入力部分３（以下、“奇数入力部分３ｏ”とも呼ばれる）は、前面プレート２の左側に経路を有する。また、この好ましい実施形態においては、入力部分３は密封領域８上に経路を有する。
【００３６】
この好ましい実施形態においては、同様に、前面プレート２の下側まで経路を有する入力部分３は、背面プレート５の下エッジから外側へ延びる。したがって、入力部分３は、その一部分が、背面プレート５上に形成され、電気的な接続が、前面プレート２と背面プレート５（図示しない）とを接着することによって確立される。前面プレート２および背面プレート５上の入力部分３を電気的に接続するために、スルーホール９が密封部分に形成され、入力部分３に対応する。入力部分３は、その一部分が、背面プレート５上に形成されるので、配線４の入力部分６は、下エッジの中央部分にまとめられ、そしてそこから外側へ延びていなければならない（図示しない）。
【００３７】
上述したディスプレイパネル構造においては、前面プレート２の右側および左側のそれぞれに経路を有する入力部分３の数は、第１の好ましい実施形態の場合の約半分に減少する。したがって、入力部分３の線幅を約２倍に増大させることができる。入力部分３の線幅を増大させると、入力部分３の配線抵抗が減少する。したがって、高品質の表示画像が入力駆動パルスの波形に障害を与えることなく得られる。この場合、この好ましい実施形態の基本的な構造は第１の好ましい実施形態の構造と同一であるので、この好ましい実施形態も、また、第１の好ましい実施形態において説明したものと同じ効果を達成できることがわかる。この例においては、たとえ入力部分３の線幅が増大しても、それぞれの側に経路を有する入力部分３の数が減少しているために、入力部分３は、第１の好ましい実施形態と同じ大きさの密封領域８内に経路を有することができる。
【００３８】
この好ましい実施形態においては、偶数入力部分３ｅは、前面プレート２の右側に経路を有し、奇数入力部分３ｏは、前面プレート２の左側に経路を有する。しかしながら、本発明の重要な点は、入力部分３を２つのグループ、すなわち、右側に経路を有するものと左側に経路を有するものとに分割することによって、それぞれの側に経路を有する入力部分３の数を減少させることである。したがって、入力部分３は、必ずしも偶数行と奇数行とに分割されるとは限らない。本発明においては、入力部分３は、その他の規則に基づいて２つの部分に分割され、そして、それぞれの側に経路を有してもよい。さらなる変形例においては、この好ましい実施形態は、低抵抗膜１０が入力部分３上に堆積された第２の好ましい実施形態の構造と組み合わせられてもよい。
【００３９】
この好ましい実施形態の変形例は、前面プレート２の右側および左側に経路を有する代わりに、２つの部分に分割された入力部分３が前面プレート２および背面プレート５上に経路を有するディスプレイパネルを提供する。図６は、この好ましい実施形態の変形例による前面プレートの平面図を示す。図６において、偶数入力部分３ｅは、前面プレート２の密封領域８上に経路を有する。奇数行における配線１のために、スルーホール１１が形成され、背面プレート５上の入力部分３に電気的に接続される。
【００４０】
図７は、この好ましい実施形態の変形例による背面プレートの平面図を示す。図７は、密封部分が形成された背面プレート５の領域（または密封領域）１２上に経路を有する奇数入力部分３ｏを示す。この場合、密封部分が形成された（密封）領域１２は、密封材料によって前面プレート２に接着された背面プレート５上のディスプレイパネルの非表示領域である。前面プレート２と背面プレート５とは、相互に接着されるので、図７に示される背面プレート５の左側は、図６に示される前面プレート２の右側と向かい合う。図７の例においては、奇数入力部分３ｏは、背面プレート５の左側に経路を有する。
【００４１】
最終的に、奇数入力部分３ｏは、背面プレート５の下エッジから外側へ直接に延び、偶数入力部分３ｅは、スルーホール９を介して背面プレート５の下エッジから外側へ延びる。また、上述したディスプレイパネル構造においては、前面プレート２および背面プレート５のそれぞれに経路を有する入力部分３の数は、第１の好ましい実施形態の場合の約半分に減少させることができる。したがって、入力部分３の線幅は、約２倍に減少させることができる。入力部分３の線幅を増大させると、入力部分３の配線抵抗が減少する。したがって、この変形例も、また、入力駆動パルスの波形に障害を与えることなく高い表示品質を備えた画像を得ることができる。
【実施例４】
【００４２】
図８は、この好ましい実施形態による前面プレートの平面図を示す。図８の構造は、基本的には、図２の構造と同じである。したがって、構造の異なる部分だけを以下に説明する。この好ましい実施形態においては、第３の好ましい実施形態の場合と同様に、偶数入力部分３ｅは前面プレート２の右側に経路を有し、奇数入力部分３ｏは前面プレート２の左側に経路を有する。しかしながら、この好ましい実施形態における入力部分３は、前面プレート２の密封領域８上だけでなく、背面プレート５の密封領域１２上にも経路を有する。したがって、前面プレート２上の入力部分３と背面プレート５上の入力部分３とを電気的に接続するために、スルーホール１１が形成される。
【００４３】
図９は、この好ましい実施形態による背面プレートの平面図を示す。図９は、背面プレート５の密封領域１２上に経路を有する入力部分３を示す。前面プレート２と背面プレート５とは相互に接着されるので、図９に示される背面プレート５の左側は、図８に示される前面プレート２の右側と向かい合う。したがって、背面プレート５上において、偶数入力部分３ｅは左側に経路を有し、奇数入力部分３ｏは右側に経路を有する。図８および図９において、前面プレート２および背面プレート５は同じパターンの経路を備えた入力部分３を有する。しかしながら、本発明においては、入力部分３は前面プレート２および背面プレート５上に異なるパターンの経路を有してもよい。
【００４４】
また、下側まで経路を有する図８に示される前面プレート２の入力部分３は、背面プレート５の下エッジから外側へ延びる。このために、前面プレート２上の入力部分３と背面プレート５上の入力部分３との電気的な接続を提供するためのスルーホール９が密封部分に形成され、入力部分３に対応する。さらに、入力部分３は背面プレート５から外側へ延びるので、配線４の入力部分６は背面プレート５の下エッジの中央部分にまとめられ、そこから外側へ延びる。
【００４５】
上述したディスプレイパネル構造においては、個々の入力部分３は２つの経路を有し、１つは前面プレート２上に存在し、もう１つは背面プレート５上に存在する。これにより、入力部分３の配線抵抗を減少させることができる。したがって、入力駆動パルスの波形に障害を与えることなく高い表示品質を備えた画像を得ることができる。この場合、この好ましい実施形態の基本的な構造は図１の構造と同一であるので、この好ましい実施形態も、また、第１の好ましい実施形態において説明したものと同じ効果を達成できることがわかる。
【００４６】
この好ましい実施形態においては、偶数入力部分３ｅは前面プレート２の右側に経路を有し、奇数入力部分３ｏは前面プレート２の左側に経路を有する。しかしながら、本発明においては、入力部分３は異なる規則に基づいて２つの部分に分割され、そして、それぞれの側に経路を有してもよい。さらなる変形例においては、この好ましい実施形態は、低抵抗膜１０が入力部分３上に堆積された第２の好ましい実施形態の構造と組み合わせられてもよい。
【実施例５】
【００４７】
図１０は、この好ましい実施形態による前面プレートの平面図を示す。図１０の構造は、基本的には、図５の構造と同じである。したがって、構造の異なる部分だけを以下に説明する。この好ましい実施形態においては、入力部分３の線幅は経路の距離に応じて変化する。すなわち、より長い距離の経路を有する入力部分３はより大きな線幅を有し、より短い距離の経路を有する入力部分３はより小さい線幅を有する。しかしながら、入力部分３の総線幅は密封領域８によって制限される。なぜなら、入力部分３は密封領域８内に経路を有するからである。
【００４８】
上述したディスプレイパネル構造においては、経路の距離の差によって発生する個々の入力部分３間の配線抵抗の差を除去することができる。したがって、個々の入力部分３によって変化する配線抵抗の駆動パルス波形に対する影響を均一にすることができる。したがって、この好ましい実施形態によるディスプレイパネルは、高い表示品質を備えた画像を得ることができる。この場合、この好ましい実施形態の基本的な構造は第１の好ましい実施形態の構造と同一であるので、この好ましい実施形態も、また、第１の好ましい実施形態において説明したものと同じ効果を達成できることがわかる。
【００４９】
図１１は、この好ましい実施形態の変形例による前面プレートの平面図を示す。図１０において、たとえ入力部分３の線幅が増加しても、それぞれの入力部分３の線幅は開始点から終了点まで変化せずに同じ線幅のままである。しかしながら、それぞれの入力部分３の線幅は開始点から終了点まで同じでなくてもよく、必要であれば変化してもよい。これによって、限られた幅の密封領域８を有効に利用することができ、入力部分３の配線抵抗を減少させることができる。図１１においては、入力部分３の線幅は図１０に示される入力部分３の開始点における空間を利用することによって増加する。
【実施例６】
【００５０】
図１２はこの好ましい実施形態による大型表示装置の平面図を示す。図１２において、大型表示装置は第１の好ましい実施形態から第５の好ましい実施形態までのいずれかにおいて説明されたディスプレイパネルを４列４行（合計１６個のディスプレイパネル）に配列することによって構成される。それぞれのディスプレイパネル２０は周辺に密封部分２１を有する。縦方向に（または垂直方向に）タイリングされたディスプレイパネル２０間のシームに間隙２２が必要とされる。図１３はタイリングされたディスプレイパネル２０間のシームの概略図を示す。ディスプレイパネル２０はそれぞれ幅ｇ１を備えた密封部分２１を有する。ディスプレイパネル２０の入力部分３および６が外側へ延びる側においては、入力部分３および６を延ばすために、また、入力部分３および６を保護するために、間隙ｇ２が必要である。したがって、シーム幅Ｇは、ｇ１×２＋ｇ２である。従来の大型表示装置においては、ディスプレイパネルを縦方向および横方向（水平方向）の両方にタイリングするのに、ディスプレイパネル２０間の間隙ｇ２を含むシーム幅Ｇが必要とされる。
【００５１】
しかしながら、この好ましい実施形態においては、タイリングされるべきディスプレイパネル２０は、入力部分３および６が下エッジだけから外側へ延びている。したがって、間隙ｇ２は横方向にタイリングされたディスプレイパネル２０間のシームには必要ないので、シーム幅Ｇは、ｇ１×２となる。したがって、従来の大型表示装置と比較すれば、横方向にタイリングされたディスプレイパネル２０間のシーム幅Ｇを減少させることができ、それによって、視覚的に感知できないシームを有する大型表示装置が得られる。
【００５２】
図１４は、この好ましい実施形態による大型表示装置の構造の概略図を示す。それぞれのユニットは、第１の好ましい実施形態から第５の好ましい実施形態までのいずれかにおいて説明したディスプレイパネル、駆動回路、画像メモリー、制御回路、電源、およびこれらに類似するものを含む。これらのユニットはマトリックス状に配列され、大型表示装置を構成する。この大型表示装置はビデオシステム、コンピュータシステム、およびこれらに類似するものに接続される。
【００５３】
図１５はこの好ましい実施形態による大型表示装置の１つの好ましい例を示す。図１５に示される大型表示装置は、第１の好ましい実施形態から第５の好ましい実施形態までのいずれかにおいて説明したディスプレイパネルを１行４列のマトリックス（合計４個のディスプレイパネル）として配列することによって構成される。ディスプレイパネルはシームが視覚的に感知できない部分にだけタイリングされるので、この好ましい実施形態は高精細表示装置を提供することができる。
【実施例７】
【００５４】
図１６はこの好ましい実施形態による大型表示装置の断面図を示す。図１６の大型表示装置は、第１の好ましい実施形態から第５の好ましい実施形態までのいずれかにおいて説明したディスプレイパネルを４行４列のマトリックス（合計１６個のディスプレイパネル）として配列することによって構成される。第６の好ましい実施形態と異なる点は、下エッジから外側へ延ばされた入力部分３および６が真下にタイリングされたディスプレイパネル２０によって覆い隠されることである。これにより、入力部分３および６の配線に損傷を与えることなく、縦方向にタイリングされたディスプレイパネル間の視覚的に感知できないシームを有する大きなディスプレイパネルが提供される。
【００５５】
図１７はこの好ましい実施形態による大型表示装置の平面図を示す。図から明らかなように、図１７に示される大型表示装置は、図１２に示される大型表示装置と比較すれば、縦方向にタイリングされたディスプレイパネル２０間の視覚的に感知できないシームを有する。この好ましい実施形態によるディスプレイパネル２０をタイリングする技術を使用すると、結果として得られる大型表示装置が、図１６に示されるように、平坦でない表示面を有するという問題がある。しかしながら、観察者２３が、大型表示装置からある程度の距離だけ離れた位置に存在すれば、このような平坦でない表示面の画像品質に対する影響は無視できるものであり、良質な表示を得ることができる。
【実施例８】
【００５６】
図１８は、ディスプレイパネル１８０の概略図を示す。ディスプレイパネル１８０においては、少なくとも１つの能動的照明要素１８１（例えば、白熱型、蛍光型、またはこれらに類似する型の小さな電球、発光ダイオード、またはこれらに類似するもの）が、マトリックス１８３の周辺に配置され、これらの少なくとも１つの要素のそれぞれは、ディスプレイパネルのエッジから外側へ延びるそれぞれの配線１８２を有する。本質的に、この実施形態は、ディスプレイパネルのためのある程度の正面照明を提供する。これは、多くの場合に照明の大部分は横向きの角度を有していたとしてもそうである。この場合、主要な利点は、照明回路がパネルとともに組み立てられ、さらに、必要であれば、パネル単位に制御できることであると考えられる。
【実施例９】
【００５７】
図１９は、ディスプレイパネル１９０の概略図を示す。ディスプレイパネル１９０においては、少なくとも１つの能動的照明要素１９１が、配線１９２が外側へ延びるディスプレイパネルのエッジのすぐ近くに配置される。本質的に、この実施形態は、これらのパネルが大型表示装置に使用されるとき、照明要素が観察者から実質的に覆い隠されるようにしている。
【実施例１０】
【００５８】
図２０は、ディスプレイパネル２００の概略図を示す。ディスプレイパネル２００においては、少なくとも１つの光ファイバーインタフェース２０１が、マトリックス２０５の周辺に配置される。これらの少なくとも１つのインタフェースのそれぞれは、高照度光源２０２（例えば、レーザ、アーク灯、またはこれらに類似するもの）から光を受け取り、その光をパネル内に分散させるためのものである。本質的に、この実施形態はプレート（ガラスまたはガラスに類似する基板）を介して横方向に照明するための手段を提供する。この場合、主要な利点は、単一高性能光源を使用できることであると考えられる。それにもかかわらず、今日の光学的ゲートによって、それぞれのパネルにおける照明レベルが制御されてもよい。
【実施例１１】
【００５９】
図２１はディスプレイパネル２１０の概略図を示す。ディスプレイパネル２１０においては、少なくとも光ファイバーインタフェース２１１が、配線２１２が外側へ延びるディスプレイパネルのエッジのすぐ近くに配置される。第９の好ましい実施形態の場合と同様に、この場合にも、これらのパネルを大型表示装置に使用すると、光学的照明または光の溢れはあるとしても、観察者から実質的に覆い隠される。
【実施例１２】
【００６０】
図２２は、少なくとも１つの固定装置２２６および支持体２２５を用いてそれぞれが構造部材２２８に保持されたディスプレイパネル２２１、２２２、２２３、２２４（好ましくは、個々のパネルをタイリングすることによって構成された大型表示装置に使用される）の概略側面図を示す。好ましくは、構造部材は、ビーム、ポスト、プレート、グリッド、メッシュ、またはこれらに類似するものの中から選択される。本質的に、これは、多くの複数のパネルをモジュール式に単純かつ容易に大型表示装置に組み立てることを提供する。
【実施例１３】
【００６１】
図２３は、ディスプレイパネル２３１、２３２、２３３、２３４（好ましくは、個々のパネルをタイリングすることによって構成された大型表示装置に使用される）の概略側面図を示す。それぞれのパネルの外側へ延びる配線２３５、２３６、２３７、２３８は、それぞれ、電子モジュール２３９、２４０、２４１、２４２とインタフェース接続する。好ましくは、電子モジュールは、それぞれのディスプレイパネル上のグラフィックパターンを駆動するためのソフトウェア駆動回路２４３、２４４、２４５、２４６を含む。さらに、電子モジュールが、外部コントローラとの少なくとも１つのデータ通信チャンネル２４７を含むことは望ましいことである。さらに、それぞれのインタフェースは、好ましくは、取り外し可能なアタッチメント２４８、２４９、２５０、２５１であるが、ある種の環境においては、オプションとして、統合された複数のディスプレイモジュールは、それぞれのインタフェースを統合されたアタッチメントとして使用する。本質的に、これらの特徴は、設置するのが容易でありかつ保守するのが容易な大型表示装置を提供するために、第１２の好ましい実施形態の特徴と組み合わせられてもよい。
【００６２】
本発明を実施するための現時点において好ましい態様を含む特定の例を参照して、本発明を図示し、かつ詳細に説明したが、当業者には、上述したシステムおよび技術の多くの変形例および置換例が存在することは明らかなことであり、これらは、添付の特許請求の範囲に記載された本発明の精神および範囲の中に存在する。
【図面の簡単な説明】
【００６３】
【図１】一般的なディスプレイパネルの構造を示す概略図である。
【図２】本発明の第１の好ましい実施形態による前面プレートの平面図である。
【図３】本発明の第１の好ましい実施形態による背面プレートの平面図である。
【図４】本発明の第２の好ましい実施形態による前面プレートの平面図である。
【図５】本発明の第３の好ましい実施形態による前面プレートの平面図である。
【図６】本発明の第３の好ましい実施形態の変形例による前面プレートの平面図である。
【図７】本発明の第３の好ましい実施形態の変形例による背面プレートの平面図である。
【図８】本発明の第４の好ましい実施形態による前面プレートの平面図である。
【図９】本発明の第４の好ましい実施形態による背面プレートの平面図である。
【図１０】本発明の第５の好ましい実施形態による前面プレートの平面図である。
【図１１】本発明の第５の好ましい実施形態の変形例による前面プレートの平面図である。
【図１２】本発明の第６の好ましい実施形態による大型表示装置の平面図である。
【図１３】ディスプレイパネルのタイルにおけるシームを示す概略図である。
【図１４】本発明の第６の好ましい実施形態による大型表示装置の構造の概略図である。
【図１５】本発明の第６の好ましい実施形態による大型表示装置の好ましい例を示す平面図である。
【図１６】本発明の第７の好ましい実施形態による大型表示装置の断面図である。
【図１７】本発明の第７の好ましい実施形態による大型表示装置の平面図である。
【図１８】本発明の第８の好ましい実施形態によるディスプレイパネルの概略図である。
【図１９】本発明の第９の好ましい実施形態によるディスプレイパネルの概略図である。
【図２０】本発明の第１０の好ましい実施形態によるディスプレイパネルの概略図である。
【図２１】本発明の第１１の好ましい実施形態によるディスプレイパネルの概略図である。
【図２２】第１２の好ましい実施形態による（大型表示装置に使用するための）ディスプレイパネルの概略図である。
【図２３】第１３の好ましい実施形態による（大型表示装置に使用するための）ディスプレイパネルの概略図である。
【符号の説明】
【００６４】
１    配線
２    前面プレート
３    入力部分
４    配線
５    背面プレート
６    入力部分
７    ディスプレイ層
【図１】
2006509235.tif 000003
【図２】
2006509235.tif 000004
【図３】
2006509235.tif 000005
【図４】
2006509235.tif 000006
【図５】
2006509235.tif 000007
【図６】
2006509235.tif 000008
【図７】
2006509235.tif 000009
【図８】
2006509235.tif 000010
【図９】
2006509235.tif 000011
【図１０】
2006509235.tif 000012
【図１１】
2006509235.tif 000013
【図１２】
2006509235.tif 000014
【図１３】
2006509235.tif 000015
【図１４】
2006509235.tif 000016
【図１５】
2006509235.tif 000017
【図１６】
2006509235.tif 000018
【図１７】
2006509235.tif 000019
【図１８】
2006509235.tif 000020
【図１９】
2006509235.tif 000021
【図２０】
2006509235.tif 000022
【図２１】
2006509235.tif 000023
【図２２】
2006509235.tif 000024
【図２３】
2006509235.tif 000025
【国際調査報告】
2006509235.tif 000026
2006509235.tif 000027